【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
サブフレーム中に送信すべきアップリンク（ＵＬ）制御情報（ＵＣＩ）を識別することと、
前記サブフレーム中にＵＬデータチャネルに関するスケジューリングタイプを識別することと、
前記スケジューリングタイプに少なくとも部分的に基づいて、前記ＵＬデータチャネルのためのコンテンションプロシージャを実行することと、
前記スケジューリングタイプに少なくとも部分的に基づいて、前記ＵＬデータチャネル上で前記ＵＣＩを送信するかどうかを決定することと、
前記コンテンションプロシージャと、前記ＵＬチャネル上で前記ＵＣＩを送信するかどうかの前記決定とに少なくとも部分的に基づいて、前記ＵＬデータチャネル上で前記ＵＣＩを送信することと
を備える方法。
【請求項２】
前記ＵＬチャネルの半永続スケジューリング（ＳＰＳ）のための構成またはアクティベーションメッセージのうちの少なくとも１つを受信することと、ここにおいて、前記スケジューリングタイプは、前記ＳＰＳに少なくとも部分的に基づいて識別される、
物理ハイブリッド自動再送要求（ＨＡＲＱ）インジケータチャネル（ＰＨＩＣＨ）モニタリングが前記ＳＰＳに対してディセーブルであると決定することと、
ＰＨＩＣＨモニタリングがディセーブルであるとの前記決定に少なくとも部分的に基づいて、ＰＨＩＣＨをモニタすることを控えることと
をさらに備える、請求項１に記載の方法。
【請求項３】
無線リソース制御（ＲＲＣ）構成メッセージにおいてＰＨＩＣＨモニタリングインジケーションを受信すること、ここにおいて、ＰＨＩＣＨモニタリングがディセーブルであるとの前記決定は、前記ＰＨＩＣＨモニタリングインジケーションに少なくとも部分的に基づく、
をさらに備える、請求項２に記載の方法。
【請求項４】
ＰＨＩＣＨモニタリングがディセーブルであるとの前記決定は、復調基準信号（ＤＭＲＳ）サイクリックシフトが構成されているかどうかに少なくとも部分的に基づく、請求項２に記載の方法。
【請求項５】
ＤＭＲＳサイクリックシフトに少なくとも部分的に基づいて、前記ＳＰＳのためのＰＨＩＣＨリソースのセットを識別することと、
ＰＨＩＣＨリソースの前記セットをモニタすることと
をさらに備える、請求項２に記載の方法。
【請求項６】
前記ＳＰＳの周期性を識別することと、
前記ＳＰＳの前記周期性に少なくとも部分的に基づいて、送信時間間隔（ＴＴＩ）バンドリングがサポートされるかどうかを決定することと
をさらに備える、請求項２に記載の方法。
【請求項７】
前記ＵＬデータチャネルの前記ＳＰＳは、物理アップリンク制御チャネル（ＰＵＣＣＨ）グループのプライマリセル（ＰＣｅｌｌ）のために構成される、請求項２に記載の方法。
【請求項８】
デュアル接続性構成のための物理アップリンク共有チャネル（ＰＵＳＣＨ）選択パラメータを識別することと、
前記ＰＵＳＣＨ選択パラメータに少なくとも部分的に基づいて、前記デュアル接続性構成のセルを選択することと、ここにおいて、前記ＵＬデータチャネルは、前記選択されたセルに関連する、
をさらに備える、請求項２に記載の方法。
【請求項９】
前記ＵＣＩの情報タイプに少なくとも部分的に基づいて、前記ＵＬデータチャネル上で前記ＵＣＩを送信するかどうかを決定すること
をさらに備える、請求項１に記載の方法。
【請求項１０】
前記スケジューリングタイプを示す無線リソース制御（ＲＲＣ）構成メッセージを受信すること、又は
前記スケジューリングタイプのためのＤＭＲＳサイクリックシフトの構成を受信すること
をさらに備える、請求項１に記載の方法。
【請求項１１】
前記スケジューリングタイプに少なくとも部分的に基づいて、１つまたは複数のダウンリンク（ＤＬ）制御情報（ＤＣＩ）サーチパラメータを識別することと、
前記１つまたは複数のＤＣＩサーチパラメータに少なくとも部分的に基づいて、ＵＥ固有サーチスペースをモニタすることと
をさらに備える、請求項１に記載の方法。
【請求項１２】
ワイヤレス通信の方法であって、
アップリンク（ＵＬ）制御情報（ＵＣＩ）ハンドリング構成を示す制御メッセージをユーザ機器（ＵＥ）に送信することと、
サブフレーム中にＵＬデータチャネルに関するスケジューリングタイプを識別することと、
前記ＵＥからＵＣＩを受信することと、ここにおいて、前記ＵＣＩは、前記ＵＣＩハンドリング構成と前記スケジューリングタイプとに少なくとも部分的に基づいて送信される、
物理ハイブリッド自動再送要求（ＨＡＲＱ）インジケータチャネル（ＰＨＩＣＨ）モニタリングが前記ＳＰＳに対してディセーブルであることを示す追加の制御メッセージを送信することと
を備える方法。
【請求項１３】
ワイヤレス通信のための装置であって、
サブフレーム中に送信すべきアップリンク（ＵＬ）制御情報（ＵＣＩ）を識別するための手段と、
前記サブフレーム中にＵＬデータチャネルに関するスケジューリングタイプを識別すための手段と、
前記スケジューリングタイプに少なくとも部分的に基づいて、前記ＵＬデータチャネルのためのコンテンションプロシージャを実行するための手段と、
前記スケジューリングタイプに少なくとも部分的に基づいて、前記ＵＬデータチャネル上で前記ＵＣＩを送信するかどうかを決定するための手段と、
前記コンテンションプロシージャと、前記ＵＬチャネル上で前記ＵＣＩを送信するかどうかの前記決定とに少なくとも部分的に基づいて、前記ＵＬデータチャネル上で前記ＵＣＩを送信するための手段と
を備える装置。
【請求項１４】
前記ＵＣＩの情報タイプに少なくとも部分的に基づいて、前記ＵＬデータチャネル上で前記ＵＣＩを送信するかどうかを決定するための手段
をさらに備える、請求項１３に記載の装置。
【請求項１５】
ワイヤレス通信のための装置であって、
ＵＬ制御情報（ＵＣＩ）ハンドリング構成を示す制御メッセージをユーザ機器（ＵＥ）に送信するための手段と、
サブフレーム中にＵＬデータチャネルに関するスケジューリングタイプを識別するための手段と、前記スケジューリングタイプは、コンテンションベーススケジューリングタイプまたは非コンテンションベーススケジューリングタイプである、
前記ＵＥからＵＣＩを受信するための手段と、ここにおいて、前記ＵＣＩは、前記ＵＣＩハンドリング構成と前記スケジューリングタイプとに少なくとも部分的に基づいて送信される、
物理ハイブリッド自動再送要求（ＨＡＲＱ）インジケータチャネル（ＰＨＩＣＨ）モニタリングが前記ＳＰＳに対してディセーブルであることを示す追加の制御メッセージを送信するための手段と
を備える装置。
【手続補正２】
【補正対象書類名】明細書
【補正対象項目名】０２２７
【補正方法】変更
【補正の内容】
【０２２７】
[0230]添付の図では、同様のコンポーネントまたは特徴は、同じ参照ラベルを有し得る。さらに、同じタイプの様々なコンポーネントは、参照ラベルの後に、ダッシュと、同様の構コンポーネントを区別する第２のラベルとを続けることによって区別され得る。第１の参照ラベルだけが本明細書で使用される場合、その説明は、第２の参照ラベルにかかわらず、第１の参照ラベルが同じである同様のコンポーネントのうちのいずれに対しても適用可能である。
以下に本願の出願当初の特許請求の範囲に記載された発明を付記する
［Ｃ１］  ワイヤレス通信の方法であって、
サブフレーム中に送信すべきアップリンク（ＵＬ）制御情報（ＵＣＩ）を識別することと、
前記サブフレーム中にＵＬデータチャネルに関するスケジューリングタイプを識別することと、
前記スケジューリングタイプに少なくとも部分的に基づいて、前記ＵＬデータチャネル上で前記ＵＣＩを送信するかどうかを決定することと
を備える方法。
［Ｃ２］  前記ＵＬデータチャネルに対するグラントを受信すること、ここにおいて、前記スケジューリングタイプは、前記グラントに少なくとも部分的に基づいて識別される、
をさらに備える、Ｃ１に記載の方法。
［Ｃ３］  前記ＵＬチャネルの半永続スケジューリング（ＳＰＳ）のための構成またはアクティベーションメッセージのうちの少なくとも１つを受信すること、ここにおいて、前記スケジューリングタイプは、前記ＳＰＳに少なくとも部分的に基づいて識別される、
をさらに備える、Ｃ１に記載の方法。
［Ｃ４］  前記スケジューリングタイプは、少なくともコンテンションベーススケジューリングタイプおよび非コンテンションベーススケジューリングタイプからなる、Ｃ１に記載の方法。
［Ｃ５］  物理ハイブリッド自動再送要求（ＨＡＲＱ）インジケータチャネル（ＰＨＩＣＨ）モニタリングが前記ＳＰＳに対してディセーブルであると決定することと、
ＰＨＩＣＨモニタリングがディセーブルであるとの前記決定に少なくとも部分的に基づいて、ＰＨＩＣＨをモニタすることを控えることと
をさらに備える、Ｃ３に記載の方法。
［Ｃ６］  無線リソース制御（ＲＲＣ）構成メッセージにおいてＰＨＩＣＨモニタリングインジケーションを受信すること、ここにおいて、ＰＨＩＣＨモニタリングがディセーブルであるとの前記決定は、前記ＰＨＩＣＨモニタリングインジケーションに少なくとも部分的に基づく、
をさらに備える、Ｃ５に記載の方法。
［Ｃ７］  ＰＨＩＣＨモニタリングがディセーブルであるとの前記決定は、復調基準信号（ＤＭＲＳ）サイクリックシフトが構成されているかどうかに少なくとも部分的に基づく、Ｃ５に記載の方法。
［Ｃ８］  ＤＭＲＳサイクリックシフトに少なくとも部分的に基づいて、前記ＳＰＳのためのＰＨＩＣＨリソースのセットを識別することと、
ＰＨＩＣＨリソースの前記セットをモニタすることと
をさらに備える、Ｃ３に記載の方法。
［Ｃ９］  前記ＳＰＳの周期性を識別することと、
前記ＳＰＳの前記周期性に少なくとも部分的に基づいて、送信時間間隔（ＴＴＩ）バンドリングがサポートされるかどうかを決定することと
をさらに備える、Ｃ３に記載の方法。
［Ｃ１０］  前記ＵＬデータチャネルの前記ＳＰＳは、物理アップリンク制御チャネル（ＰＵＣＣＨ）グループのプライマリセル（ＰＣｅｌｌ）のために構成される、Ｃ３に記載の方法。
［Ｃ１１］  デュアル接続性構成のための物理アップリンク共有チャネル（ＰＵＳＣＨ）選択パラメータを識別することと、
前記ＰＵＳＣＨ選択パラメータに少なくとも部分的に基づいて、前記デュアル接続性構成のセルを選択することと、ここにおいて、前記ＵＬデータチャネルは、前記選択されたセルに関連する、
をさらに備える、Ｃ３に記載の方法。
［Ｃ１２］  前記ＵＣＩの情報タイプに少なくとも部分的に基づいて、前記ＵＬデータチャネル上で前記ＵＣＩを送信するかどうかを決定すること
をさらに備える、Ｃ１に記載の方法。
［Ｃ１３］  前記スケジューリングタイプを示す無線リソース制御（ＲＲＣ）構成メッセージを受信すること
をさらに備える、Ｃ１に記載の方法。
［Ｃ１４］  前記スケジューリングタイプのためのＤＭＲＳサイクリックシフトの構成を受信すること
をさらに備える、Ｃ１に記載の方法。
［Ｃ１５］  前記スケジューリングタイプに少なくとも部分的に基づいて、１つまたは複数のダウンリンク（ＤＬ）制御情報（ＤＣＩ）サーチパラメータを識別することと、
前記１つまたは複数のＤＣＩサーチパラメータに少なくとも部分的に基づいて、ＵＥ固有サーチスペースをモニタすることと
をさらに備える、Ｃ１に記載の方法。
［Ｃ１６］  前記スケジューリングタイプに少なくとも部分的に基づいて、前記ＵＬデータチャネルのためのコンテンションプロシージャを実行することと、
前記コンテンションプロシージャと、前記ＵＬチャネル上で前記ＵＣＩを送信するかどうかの前記決定とに少なくとも部分的に基づいて、前記ＵＬデータチャネル上で前記ＵＣＩを送信することと
をさらに備える、Ｃ１に記載の方法。
［Ｃ１７］  前記スケジューリングタイプに少なくとも部分的に基づいて、前記ＵＬデータチャネル上で前記ＵＣＩを送信することを控えること
をさらに備える、Ｃ１に記載の方法。
［Ｃ１８］  ワイヤレス通信の方法であって、
アップリンク（ＵＬ）制御情報（ＵＣＩ）ハンドリング構成を示す制御メッセージをユーザ機器（ＵＥ）に送信することと、
サブフレーム中にＵＬデータチャネルに関するスケジューリングタイプを識別することと、
前記ＵＥから前記ＵＣＩを受信することと、ここにおいて、前記ＵＣＩは、前記ＵＣＩハンドリング構成と前記スケジューリングタイプとに少なくとも部分的に基づいて送信される、
を備える方法。
［Ｃ１９］  前記ＵＬチャネルに対するグラントを送信すること、ここにおいて、前記スケジューリングタイプは、前記グラントに少なくとも部分的に基づく、
前記ＵＬチャネルの半永続スケジューリング（ＳＰＳ）のためのアクティベーションメッセージを送信すること、ここにおいて、前記スケジューリングタイプは、前記ＳＰＳに少なくとも部分的に基づく、または
前記スケジューリングタイプがコンテンションベーススケジューリングタイプを含むことを示す無線リソース制御（ＲＲＣ）構成メッセージを送信すること
のうちの少なくとも１つをさらに備える、Ｃ１８に記載の方法。
［Ｃ２０］  物理ハイブリッド自動再送要求（ＨＡＲＱ）インジケータチャネル（ＰＨＩＣＨ）モニタリングが前記ＳＰＳに対してディセーブルであることを示す追加の制御メッセージを送信すること
をさらに備える、Ｃ１８に記載の方法。
［Ｃ２１］  前記スケジューリングタイプのための復調基準信号（ＤＭＲＳ）サイクリックシフトを示す構成メッセージを送信すること
をさらに備える、Ｃ１８に記載の方法。
［Ｃ２２］  ワイヤレス通信のための装置であって、
サブフレーム中に送信すべきアップリンク（ＵＬ）制御情報（ＵＣＩ）を識別するための手段と、
前記サブフレーム中にＵＬデータチャネルに関するスケジューリングタイプを識別すための手段と、
前記スケジューリングタイプに少なくとも部分的に基づいて、前記ＵＬデータチャネル上で前記ＵＣＩを送信するかどうかを決定するための手段と
を備える装置。
［Ｃ２３］  前記ＵＬチャネルに対するグラントを受信するための手段、ここにおいて、前記スケジューリングタイプは、前記グラントに少なくとも部分的に基づいて識別される、
をさらに備える、Ｃ２２に記載の装置。
［Ｃ２４］  前記ＵＬチャネルの半永続スケジューリング（ＳＰＳ）のための構成またはアクティベーションメッセージのうちの少なくとも１つを受信するための手段、ここにおいて、前記スケジューリングタイプは、前記ＳＰＳに少なくとも部分的に基づいて識別される、
をさらに備える、Ｃ２２に記載の装置。
［Ｃ２５］  前記ＵＣＩの情報タイプに少なくとも部分的に基づいて、前記ＵＬデータチャネル上で前記ＵＣＩを送信するかどうかを決定するための手段
をさらに備える、Ｃ２２に記載の装置。
［Ｃ２６］  前記スケジューリングタイプを示す無線リソース制御（ＲＲＣ）構成メッセージを受信するための手段
をさらに備える、Ｃ２２に記載の装置。
［Ｃ２７］  ワイヤレス通信のための装置であって、
ＵＬ制御情報（ＵＣＩ）ハンドリング構成を示す制御メッセージをユーザ機器（ＵＥ）に送信するための手段と、
サブフレーム中にＵＬデータチャネルに関するスケジューリングタイプを識別するための手段と、前記スケジューリングタイプは、コンテンションベーススケジューリングタイプまたは非コンテンションベーススケジューリングタイプである、
前記ＵＥから前記ＵＣＩを受信するための手段と、ここにおいて、前記ＵＣＩは、前記ＵＣＩハンドリング構成と前記スケジューリングタイプとに少なくとも部分的に基づいて送信される、
を備える装置。
［Ｃ２８］  前記ＵＬチャネルに対するグラントを送信するための手段、ここにおいて、前記スケジューリングタイプは、前記グラントに少なくとも部分的に基づく、
前記ＵＬチャネルの半永続スケジューリング（ＳＰＳ）のためのアクティベーションメッセージを送信するための手段、ここにおいて、前記スケジューリングタイプは、前記ＳＰＳに少なくとも部分的に基づく、または
前記スケジューリングタイプがコンテンションベーススケジューリングタイプを含むことを示す無線リソース制御（ＲＲＣ）構成メッセージを送信するための手段
のうちの少なくとも１つをさらに備える、Ｃ２７に記載の装置。
［Ｃ２９］  物理ハイブリッド自動再送要求（ＨＡＲＱ）インジケータチャネル（ＰＨＩＣＨ）モニタリングが前記ＳＰＳに対してディセーブルであることを示す追加の制御メッセージを送信するための手段
をさらに備える、Ｃ２７に記載の装置。
［Ｃ３０］  前記スケジューリングタイプのための復調基準信号（ＤＭＲＳ）サイクリックシフトを示す構成メッセージを送信するための手段
をさらに備える、Ｃ２７に記載の装置。